(57)【要約】      （修正有）【課題】使用場所に応じて広さ幅を自由に調整可能なフェンスを提供する。【解決手段】第一板体１０と、第二板体２０と、少なくとも２つの掛け部材３０と、ファスナー４０とを有し、その内、該第一板体１０は、第一側部の近傍に位置決め孔１１が穿設され、該第二板体２０は、前記第一板体１０に接近するように、長手方向に沿って摺動可能に前記第一板体１０に組み立てられる。前記第一板体１０の位置決め孔１１と対応するように連通する摺動孔２１が穿設され、該少なくとも２つの掛け部材３０は、それぞれ前記第一板体１０と第二板体２０との上部及び下部に取り付けられ、該ファスナー４０は、前記第二板体２０の摺動孔２１に設置され、座板４１と、締め部材４２とを有する。その内、該座板４１は、前記第二板体２０の摺動孔２１と対応するように連通する貫通孔が穿設され、該締め部材は、該座板の貫通孔と、前記第二板体の摺動孔と、前記第一板体の位置決め孔とを通って貫設されるものである。【選択図】図２
0003178313.tif 000002
【実用新案登録請求の範囲】
【請求項１】
第一板体と、第二板体と、少なくとも２つの掛け部材と、ファスナーとを有し、
前記第一板体は、第一側部の近傍に位置決め孔が穿設され、
前記第二板体は、前記第一板体に接近するように、長手方向に沿って摺動可能に前記第一板体に組み立てられ、且つ、前記第一板体の位置決め孔と対応するように連通する摺動孔が穿設され、
前記少なくとも２つの掛け部材は、それぞれ前記第一板体と第二板体との上部及び下部に取り付けられ、
前記ファスナーは、前記第二板体の摺動孔に設置され、座板と、締め部材とを有し、その内、該座板は、前記第二板体の摺動孔と対応するように連通する貫通孔が穿設され、該締め部材は、該座板の貫通孔と、前記第二板体の摺動孔と、前記第一板体の位置決め孔とを通って貫設されることを特徴とする調整可能なフェンス。
【請求項２】
前記第二板体の摺動孔の両端は、それぞれ長手方向の両側に向かって延出されることを特徴とする請求項１に記載の調整可能なフェンス。
【請求項３】
さらに、前記第一板体における第二板体と反対する側面に、結合部材が設置され、該結合部材は、前記第一板体の位置決め孔と対応するような貫通孔が穿設され、前記締め部材は、前記第一板体の位置決め孔から突出された端部が該貫通孔を介して結合部材に接着されることを特徴とする請求項２に記載の調整可能なフェンス。
【請求項４】
前記第一板体は、前記第二板体と反対する側面の位置決め孔の近傍に収容孔が凹設され、該収容孔の内径は、前記位置決め孔の内径より大径であり、また、前記位置決め孔と連通すると共に、前記結合部材を収容させることを特徴とする請求項３に記載の調整可能なフェンス。
【請求項５】
前記少なくとも２つの掛け部材には、Ｕ字形を呈し、それぞれ対応した第一板体又は第二板体に向かって止め部が延設され、該止め部は、対応した第一板体又は第二板体の外側面に当接され、前記第一板体と第二板体とを接近させることを特徴とする請求項１に記載の調整可能なフェンス。
【請求項６】
前記第一板体は、少なくとも１つの柵体を有し、該各柵体は、前記第一板体の位置決め孔から長手方向に沿って対応するように両側に設置されることを特徴とする請求項１乃至５の何れかの１項に記載の調整可能なフェンス。
【請求項７】
前記第二板体は、少なくとも１つの柵体を有し、該各柵体は、前記第二板体摺動孔から長手方向に沿って対応するように両側に設置されることを特徴とする請求項１乃至５の何れかの１項に記載の調整可能なフェンス。
【請求項８】
請求項１乃至７の何れかの１項に記載の調整可能なフェンスにおいて、
さらに、第三板体と、少なくとも２つの掛け部材と、他のファスナーとを有し、
前記第三板体は、前記第二板体に接近するように、長手方向に沿って摺動可能に前記第二板体に組み立てられ、且つ、位置決め孔を含み、該位置決め孔は、前記第一板体に面する側部に穿設され、前記第二板体の摺動孔と対応するように連通し、
前記少なくとも２つの掛け部材はそれぞれ、前記第二板体及び第三板体の上部又は下部に設置され、
前記他のファスナーは、前記第二板体の摺動孔に設置され、座板と、締め部材とを有し、その内、該座板は、前記第二板体の摺動孔と対応するように連通する貫通孔が穿設され、該締め部材は、該座板の貫通孔と、前記第二板体の摺動孔と、前記第三板体の位置決め孔とを通って貫設されることを特徴とする調整可能なフェンス仕組み。
【請求項９】
前記第三板体における第二板体と反対する側面に、結合部材が設置され、該結合部材は、前記第三板体の位置決め孔と対応するような貫通孔が穿設され、前記締め部材は、前記第三板体の位置決め孔から突出された端部が該貫通孔を介して結合部材に接着されることを特徴とする請求項８に記載の調整可能なフェンス仕組み。
【請求項１０】
前記第三板体は、前記第二板体と反対する側面の位置決め孔の近傍に収容孔が凹設され、該収容孔の内径は、前記位置決め孔の内径より大径であり、また、前記位置決め孔と連通すると共に、前記結合部材を収容させることを特徴とする請求項９に記載の調整可能なフェンス仕組み。
【請求項１１】
前記少なくとも２つの掛け部材には、それぞれ対応した第二板体又は第三板体に向かって止め部が延設され、該止め部は、対応した第二板体又は第三板体の外側面に当接され、前記第二板体と第三板体とを接近させることを特徴とする請求項８に記載の調整可能なフェンス仕組み。
【請求項１２】
前記第三板体は、少なくとも１つの柵体を有し、該各柵体は、前記第三板体の位置決め孔から長手方向に沿って対応するように両側に設置されることを特徴とする請求項８乃至１１の何れかの１項に記載の調整可能なフェンス仕組み。
【考案の詳細な説明】
【技術分野】
【０００１】
本考案は、特に使用場所に応じて自由に調整可能なフェンスに関するものである。
【背景技術】
【０００２】
フェンスは、ペット等の動物が既定の場所を越えることを防止するための多機能のプレートであり、一般的に、住宅の内部空間に配置され、ペットの行動範囲を制限すると共に、ペットが既定の場所を越えることを防止する等の機能を備え、広がって使えるものである。  
使用者は、普段に、フェンスが住宅の入り口に設置され（例えば、ドアのフレーム）、或いは、２つの間隔板や壁体等の間に設置され、それによって空間を分離するという効果を備える。
【０００３】
近代、住宅のインテリアデザインは様々なスタイルがあることから、上述したドアのフレームや、２つの間隔板や壁体等の距離が、その空間又はデコレーティングの構成に応じて異なることがある。
【考案の概要】
【考案が解決しようとする課題】
【０００４】
しかしながら、既存のフェンスは、既定の広さ幅(幅寸法)を有することから、場所に応じて変わることができなく、特製の広さ幅が合うフェンスを用意しなければならないので、使用上、非常に困っており、購入するコストも掛かっており、実用性を制限する。
【課題を解決するための手段】
【０００５】
本考案に係る調整可能なフェンスは、第一板体と、第二板体と、少なくとも２つの掛け部材と、ファスナーとを有し、その内、該第一板体は、第一側部の近傍に位置決め孔が穿設され、該第二板体は、前記第一板体に接近するように、長手方向に沿って摺動可能に前記第一板体に組み立てられ、且つ、前記第一板体の位置決め孔と対応するように連通する摺動孔が穿設され、該少なくとも２つの掛け部材は、それぞれ前記第一板体と第二板体との上部及び下部に取り付けられ、該ファスナーは、前記第二板体の摺動孔に設置され、座板と、締め部材とを有し、その内、該座板は、前記第二板体の摺動孔と対応するように連通する貫通孔が穿設され、該締め部材は、該座板の貫通孔と、前記第二板体の摺動孔と、前記第一板体の位置決め孔とを通って貫設されるものである。
【０００６】
前記第二板体の摺動孔の両端は、それぞれ長手方向の両側に向かって延出されることが好ましい。
【０００７】
さらに、前記第一板体における第二板体と反対する側面に、結合部材が設置され、該結合部材は、前記第一板体の位置決め孔１１と対応するような貫通孔が穿設され、前記締め部材は、前記第一板体の位置決め孔から突出された端部が該貫通孔を介して結合部材に接着される。
【０００８】
前記第一板体は、前記第二板体と反対する側面の位置決め孔の近傍に収容孔が凹設され、該収容孔の内径は、前記位置決め孔の内径より大径であり、また、前記位置決め孔と連通すると共に、前記結合部材を収容させる。
【０００９】
前記少なくとも２つの掛け部材には、Ｕ字形を呈し、それぞれ対応した第一板体又は第二板体に向かって止め部が延設され、該止め部は、対応した第一板体又は第二板体の外側面に当接され、前記第一板体と第二板体とを接近させる。
【００１０】
前記第一板体は、少なくとも１つの柵体を有し、該各柵体は、前記第一板体の位置決め孔から長手方向に沿って対応するように両側に設置されてもよい。
【００１１】
前記第二板体は、少なくとも１つの柵体を有し、該各柵体は、前記第二板体の摺動孔から長手方向に沿って対応するように両側に設置されてもよい。
【００１２】
調整可能なフェンス仕組みは、上述した調整可能なフェンスにおいて、さらに、第三板体と、少なくとも２つの掛け部材と、他のファスナーとを有し、その内、該第三板体は、前記第二板体に接近するように、長手方向に沿って摺動可能に前記第二板体に組み立てられ、且つ、位置決め孔を含み、該位置決め孔は、前記第一板体に面する側部に穿設され、前記第二板体の摺動孔と対応するように連通し、該少なくとも２つの掛け部材はそれぞれ、前記第二板体及び第三板体の上部又は下部に設置され、該他のファスナーは、前記第二板体の摺動孔に設置され、座板と、締め部材とを有し、その内、該座板は、前記第二板体の摺動孔と対応するように連通する貫通孔が穿設され、該締め部材は、該座板の貫通孔と、前記第二板体の摺動孔と、前記第三板体の位置決め孔とを通って貫設されるものである。
【００１３】
さらに、前記第三板体における第二板体と反対する側面に、結合部材が設置され、該結合部材は、前記第三板体の位置決め孔と対応するような貫通孔が穿設され、前記締め部材は、前記第三板体の位置決め孔から突出された端部が該貫通孔を介して結合部材に接着される。
【００１４】
前記第三板体は、前記第二板体と反対する側面の位置決め孔の近傍に収容孔が凹設され、該収容孔の内径は、前記位置決め孔の内径より大径であり、また、前記位置決め孔と連通すると共に、前記結合部材を収容させる。
【００１５】
前記少なくとも２つの掛け部材には、それぞれ対応した第二板体又は第三板体に向かって止め部が延設され、該止め部は、対応した第二板体又は第三板体の外側面に当接され、前記第二板体と第三板体とを接近させる。
【００１６】
前記第三板体は、少なくとも１つの柵体を有し、該各柵体は、前記第三板体の位置決め孔から長手方向に沿って対応するように両側に設置されてもよい。
【考案の効果】
【００１７】
本考案に係る調整可能なフェンスは、安定的に既定の場所に配置されると共に、ペットの行動範囲を制限するために、空間を分離するという効果を提供すると共に、実用性及び利便性が高める。
【図面の簡単な説明】
【００１８】
【図１】本考案に係る調整可能なフェンスの斜面図である。
【図２】本考案に係る調整可能なフェンスの部分分解図である。
【図３】本考案に係る調整可能なフェンスの部分拡大分解図である。
【図４】本考案に係る調整可能なフェンスにおいて使用状態を示す平面図である。
【図５】図４の５−５における断面図である。
【図６】本考案に係る調整可能なフェンス仕組みの斜面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１及び図２に示すように、本考案に係る調整可能なフェンスは、第一板体１０と、第二板体２０と、少なくとも２つの掛け部材３０と、ファスナー４０とを有するものである。該第一板体１０は、長手方向の両側にそれぞれ第一側部１０１及び第二側部１０２が形成され、且つ、該第一側部１０１の中央近傍に位置決め孔１１が穿設される。
【００２１】
前記第二板体２０は、長手方向の両側にそれぞれ第一側部２０１及び第二側部２０２が形成され、前記第一板体１０に接近するように摺動可能に組み立てられる。本実施例における第二板体２０及び第一板体１０は、それぞれ互いに面する側面がそれらの長手方向に沿って摺動可能に組み立てられる。
【００２２】
前記第二板体２０は、さらに、長手方向に沿って摺動孔２１が穿設され、該摺動孔２１は、前記第一板体１０の位置決め孔１１と対応するように連通する。本実施例における第二板体２０の摺動孔２１の両端は、それぞれ第一側部２０１及び第二側部２０２に向かって延出される。
【００２３】
前記少なくとも２つの掛け部材３０は、それぞれ前記第一板体１０と第二板体２０との上部及び下部に取り付けられ、本実施例における少なくとも２つの掛け部材３０には、Ｕ字形を呈し、それらの何れかの１つの掛け部材３０は、前記第一板体１０の第一側部１０１と第二板体２０の第一側部２０１との上部に取り付けられ、他の何れかの１つの掛け部材３０には、前記第一板体１０の第一側部１０１と第二板体２０の第一側部２０１との下部に取り付けられる。該各掛け部材３０は、対応した第一板体１０又は第二板体２０に向かって止め部３０１が延設され、該止め部３０１は、対応した第一板体１０又は第二板体２０の外側面に当接されることから、第一板体１０と第二板体２０とを接近させると共に、脱出しないように丈夫な構造が形成される。
【００２４】
前記ファスナー４０は、前記第二板体２０の摺動孔２１に設置され、座板４１と、締め部材４２とを有し、その内、該座板４１は、摺動孔２１の外側に位置するものである。本実施例における座板４１は、Ｕ字形を呈し、摺動可能に第二板体２０の外側に押し付けられ、中央部分に貫通孔４１０が穿設され、該貫通孔４１０は、前記第二板体２０の摺動孔２１と対応するように連通するものであり、該締め部材４２には、座板４１の貫通孔４１０と、第二板体２０の摺動孔２１と、第一板体１０の位置決め孔１１とを通って貫設されるものである。
【００２５】
図３及び図５に示すように、本考案に係る調整可能なフェンスは、さらに、結合部材４３を含み、該結合部材４３は、前記第一板体１０における第二板体２０と反対する側面に設置され、該結合部材４３は、貫通孔４３０が穿設されるものであり、前記締め部材４２は、前記第一板体１０の位置決め孔１１から突出された端部が、該貫通孔４３０を介して結合部材４３に接着される。本実施例における締め部材４２は、結合部材４３と接着するための末端にねじ山が形成され、結合部材４３には、締め部材４２の末端に螺合されるナットであり、それらが互いに螺合するように結合する。かつ、前記第一板体１０は、第二板体２０と反対する側面の位置決め孔１１の近傍に収容孔１２が凹設され、該収容孔１２の内径は、位置決め孔１１の内径より大径であり、また、位置決め孔１１と連通すると共に、結合部材４３を収容させることができる。
【００２６】
本考案に係る調整可能なフェンスにおける第一板体１０及び第二板体２０は、様々な板体から構成されても構わなく、例えば、木材の板体や、プラスチックの板体や、一定の間において柵を有するフェンス等から構成されても構わない。本実施例における第一板体１０は、少なくとも１つの柵体１００を有すると共に、前記位置決め孔１１から第一板体１０の長手方向に沿って中心線が形成され、また、該各柵体１００は、対応するように該中心線の両側に設置される。その第二板体２０には、少なくとも１つの柵体２００を有すると共に、前記摺動孔２１から第二板体２０の長手方向に沿って中心線が形成され、また、該各柵体２００は、対応するように該中心線の両側に設置される。
【００２７】
図４及び図５に示すように、本考案に係る調整可能なフェンスを使用する時、適当な場所に配置する、例えば、住宅のドアのフレームや、２つの壁体との間や、２つ間隔板との間等のところに配置する。
【００２８】
ファスナー４０は、元々第二板体２０に組み立てられたことから、フェンスの広さ幅を調整する場合には、先ずその第一板体１０及び第二板体２０が長手方向に沿って互いに摺動して適当な広さ幅まで調整する。その後、締め部材４２によって第一板体１０及び第二板体２０を締めて横にずれないように固定し、既定の広さ幅を維持することができる。本考案に係る調整可能なフェンスは、様々な広さ幅に応じて各場所に自由に配置しても構わない。
【００２９】
さらに、本実施例は複数の立ち部材５０を有し、該各立ち部材５０は、前記第一板体１０の第二側部１０２の底側、又は第二板体２０の第二側部２０２の底側に設置されるものであり、その立ち部材５０によって、フェンスを簡単に床に立たれ、フェンスの機能を発揮することができる。
【００３０】
図６に示すように、本考案に係る調整可能なフェンスにおける他の実施例は、調整可能なフェンス仕組みであり、それはさらに、第三板体６０Ａと、少なくとも２つの掛け部材７０Ａと、他のファスナーと（図に示さない）を有し、その内、該第三板体６０Ａは、位置決め孔６１Ａを含み、該位置決め孔６１Ａは、前記第一板体１０Ａに面する側部に穿設され、第二板体２０Ａの摺動孔２１Ａと対応するように連通する。該第三板体６０Ａの他の構造には、殆ど前記第一板体１０と同一である。該少なくとも２つの掛け部材７０Ａには、前記第一板体１０及び第二板体２０に設置された掛け部材３０との構造及び設置箇所が同一である。該ファスナーには、前記ファスナー４０との構造が同一である。上述したような同じ構造を有する部分についての説明を省略する。
【００３１】
また、本実施例において、前記第三板体６０Ａと第二板体２０Ａとは、長手方向に沿って互いに摺動することができ、前記少なくとも２つの掛け部材７０Ａは、それぞれ第二板体２０Ａ及び第三板体６０Ａの上部又は下部に設置される。第二板体２０Ａ及び第三板体６０Ａを適当な位置に調整すると、他のファスナーによって、第二板体２０Ａ及び第三板体６０Ａを締めてずれないように固定する。さらに、その第三板体６０Ａは、柵体６００Ａを有し、該各柵体６００Ａは、位置決め孔６１Ａから右側又は左側に向ける軸方向と対応する一側に設置される。
【００３２】
上述したように、第一板体１０、１０Ａと、第二板体２０、２０Ａとの間に、或いは第二板体２０Ａと第三板体６０Ａとの間に、互いに摺動することによって、本考案に係るフェンスが自由に広さ幅を調整することができ、広さが異なるドアのフレームに配置されてもよく、２つの壁体又は２つの間隔板との間の距離が異なっても配置することができる。広さ幅の調整ができたら、また、ファスナー４０を介して板体を締めて既定の広さ幅を維持するように固定する。
【産業上の利用可能性】
【００３３】
本考案は上記の構成を有することから、安定的に既定の場所に配置されると共に、ペットの行動範囲を制限するために空間を分離するという効果を提供すると共に、実用性及び利便性が高める。
【符号の説明】
【００３４】
１０…第一板体、
１００…柵体、
１０１…第一側部、
１０２…第二側部、
１１…位置決め孔、
２０…第二板体、
２００…柵体、
２０１…第一側部、
２０２…第二側部、
２１…摺動孔、
３０…掛け部材、
３０１…止め部、
４０…ファスナー、
４１…座板、
４１０…貫通孔、
４２…締め部材、
４３…結合部材、
４３０…貫通孔、
５０…立ち部材、
６０Ａ…第三板体、
６００Ａ…柵体、
６１Ａ…位置決め孔、
７０Ａ…掛け部材。
【図１】
0003178313.tif 000003
【図２】
0003178313.tif 000004
【図３】
0003178313.tif 000005
【図４】
0003178313.tif 000006
【図５】
0003178313.tif 000007
【図６】
0003178313.tif 000008